(57)【特許請求の範囲】
【請求項１】
前面に開閉扉を備えたボックスに筒状容器を内設し、該ボックス内の給水栓に連結された保形ホースを前記筒状容器内に外周側から順次内周側に向け螺旋層状に巻回収納し、該保形ホースを前記筒状容器の前面中心部のホース取出口から引き出すようにした消火栓装置において、
前記保形ホースの端部にフラットホースを介して放水ノズルを連結し、かつ前記フラットホースを前記ホース取出口から前記筒状容器の前面と前記開閉扉との間の隙間を挿通させて該筒状容器の外周外側へ延長させるようにして、前記該放水ノズルを前記筒状容器の外周外側にセットするようにした消火栓装置。
【請求項２】
前記保形ホースは、径が呼称３０で、長さが３０ｍである請求項１に記載の消火栓装置。
【請求項３】
前記保形ホースの端部に前記フラットホースを金具を介して接続した請求項１又は２に記載の消火栓装置。
【請求項４】
前記保形ホースの端部に前記フラットホースを直接織製により接続した請求項１又は２に記載の消火栓装置。
【発明の詳細な説明】
【０００１】
【発明の属する技術分野】
本発明は消火栓装置に関し、さらに詳しくは、消防ホースに保形ホースを使用して１人だけで操作可能にした消火栓装置の改良に関する。
【０００２】
【従来の技術】
図２（Ａ），（Ｂ）は、消防法に規定された１号消火栓を例示したもので、学校、病院、ホテル、デパート、工場などの各種建造物の初期消化用設備として広く設けられている。
この１号消火栓装置は、前面に開閉扉１ｄを備えたボックス１を格納部とし、その内側の給水栓２に消防ホースとしてフラットホース３ｆを連結し、それをボックス１の内壁面に一定間隔に設けた複数のピン４に蛇行状に折り畳むように懸架させ、そのホース端部に連結した放水ノズル５を内壁面のクリップ６に保持させるように格納するものである。
【０００３】
しかしながら、１号消火栓装置に消防ホースとして使用されるフラットホース３ｆは、非通水時には折り畳み可能なフラットであり、通水時に水圧により円筒形に膨張するような構成になっている。そのため放水操作するときは、折り畳み状態では通水不可能であるので、必ずホース全長を展延状態にしてから給水栓２を開くようにしなければならない。そのため１人の操作者だけで放水操作をすることができず、フラットホース３ｆを全長展延したのち、その端部で放水ノズル５を保持する人と、給水栓２側に待機して給水栓２を開弁する人との最低２人の操作者が必要であった。
【０００４】
最近、このような不便を解消するため、１人で放水操作できる易操作性１号消火栓を認める法律が施行された。この易操作性１号消火栓とは、従来のフラットホースに代えて常時円筒形断面を保持する保形ホースを使用するようにしたもので、これを螺旋環状層に巻回して格納し、そこから必要な長さだけ巻き戻して放水するようにしたものである。
【０００５】
一方、本発明者等は、先に上記保形ホースを利用する消火栓装置として、実願平２−２３８６０号（実用新案登録第２５１３７９９号）により、保形ホースを収納する手段として非回転筒状容器（筒状のケージ）を使用し、その中に外周側から内周側に向けて螺旋環状層に巻回して収納し、その前面中心部の取出口から保形ホースを順次引き出すようにした操作性に優れた装置を提案した。
【０００６】
本発明者等は、このような改良装置を利用して、既存の１号消火栓の格納ボックスをそのままにして内部構造だけを置き換えれば、低コストで簡単に易操作性１号消火栓装置に改造することができるであろうと考えた。しかしながら、具体的に検討してみると、この改造に当たっては、保形ホースの螺旋環状層の内側空間に放水ノズルをセットするようになっているので、次のような問題があることがわかった。
【０００７】
第一の問題は、既存の１号消火栓のボックスの寸法が、高さ×幅×奥行＝１０００mm×（７００〜７５０）mm×（１８０〜２２０）mmであるのが一般的なのに対し、易操作性１号消火栓に規定された保形ホースの長さは３０ｍであるため、この長さの保形ホースを上記のような寸法の１号消火栓のボックスに巻回収納すると、保形ホースの螺旋環状層の内側直径が小さくなってしまうという問題があった。
【０００８】
この問題は口径の小さい保形ホースを使用すれば軽減されるが、易操作性１号消火栓では放水圧下限１．７ kgf/cm2、放水量１３０リットル／min 以上と規定されているため、上記のように口径の小さい保形ホースは給水栓側の元圧力が大きくないと使用することができず、使用可能な範囲が制限されることになる。このため圧力損失の点から呼称３０（内径約３１〜３３ｍｍ）の保形ホースが一般的に使用されることになり、結局保形ホースの螺旋環状層の内側直径が小さくなるという問題は解決することができない。
【０００９】
即ち、このように直径の小さい螺旋環状層の内側に放水ノズルを無理に収納すると、放水ノズルとの連結部で保形ホースが強く折り曲げられることによりキンクを発生して、保形ホースが損傷することがわかった。即ち、直径約３０ｍｍの保形ホースが屈曲可能な最小直径は約３００mmであり、これ以上に小さな曲率半径に曲げるとホース断面が潰れてキンクするため、保形ホースが損傷することになるのである。
【００１０】
上記問題を回避する対策としては、放水ノズルを筒状容器外側の外周に配置することが考えられ、そのように外周外側に配置するためには保形ホースを筒状容器前面とボックスの開閉扉との間の隙間に通さなければならない。しかしながら、上記のような外径と長さを有する保形ホースを収納するため、筒状容器は全体的に前後幅を大きくする必要があるため、上記のように寸法が限定された１号消火栓の格納ボックスに内設すると、筒状容器前面とボックス開閉扉との隙間が保形ホースを通すことができなるほど狭くなってしまう。換言すると、ボックスの開閉扉を閉じることができなくなってしまう問題が生ずるのである。
【００１１】
【発明が解決しようとする課題】
本発明の目的は、消防ホースとして保形ホースを使用する場合、格納ボックスの容積が小さくても保形ホースを損傷させることなく格納可能にする消火栓装置を提供することにある。
本発明の他の目的は、既存の１号消火栓の格納ボックスを利用して易操作性１号消火栓に改造する場合、保形ホースを損傷することなく改造が可能な消火栓装置を提供することにある。
【００１２】
【課題を解決するための手段】
上記目的を達成する本発明の消火栓装置は、前面に開閉扉を備えたボックスに筒状容器を内設し、該ボックス内の給水栓に連結された保形ホースを前記筒状容器内に外周側から順次内周側に向け螺旋層状に巻回収納し、該保形ホースを前記筒状容器の前面中心部のホース取出口から引き出すようにした消火栓装置において、前記保形ホースの端部にフラットホースを介して放水ノズルを連結し、かつ前記フラットホースを前記ホース取出口から前記筒状容器の前面と前記開閉扉との間の隙間を挿通させて該筒状容器の外周外側へ延長させるようにして、前記該放水ノズルを前記筒状容器の外周外側にセットするようにしたことを特徴とするものである。
【００１３】
本発明では、保形ホースの端部と放水ノズルとの間にフラットホースを介在させたので、放水ノズルを筒状容器の外周外側に配置する場合であっても、扁平なフラットホースを筒状容器前面と開閉扉との間の隙間に容易に挿通させることができ、保形ホースを損傷することなく、また扉の開閉に支障を与えることなく放水ノズルを筒状容器の外周外側に配置することができる。
【００１５】
【発明の実施の形態】
図１（Ａ），（Ｂ）は、１号消火栓から易操作性１号消火栓に改造された本発明の実施形態からなる消火栓装置であり、消防ホースの全長が格納状態にされた場合を示している。
格納用のボックス１は前面だけが開口するように構成され、１号消火栓に使用されているものと同じである。ボックス１の前面に蝶番７を介して扉１ｄが開閉自在に取り付けられている。開閉用の扉１ｄは、図示のように片開きであってもよく、観音開きのように左右両開きであってもよい。
【００１６】
ボックス１の内部には、上部側の隅部に給水栓２が設けられ、中央部に易操作性１号消火栓用の保形ホース３ｈを収納する筒状容器８が取り付けられている。保形ホース３ｈとは、常時円形断面を保持するようにしたホースであって、経糸を長手方向に円筒状に引き揃え、これに緯糸として剛性の大きなモノフィラメントを螺旋状に織り込んだ筒状織物を骨格とし、その内面又は内外両面に樹脂層を被覆して構成されている。易操作性１号消火栓に使用する保形ホースとしては、呼径３０（内径約３１〜３３ｍｍ）、長さ３０ｍのものを使用することが望ましい。
【００１７】
筒状容器８は、図示の実施形態では、１２乃至３２本の金属製の線状材８ａを平行に円筒状に配列し、その後方側の端部を支持板８ｂに固定すると共に、前方側の端部を半径方向内側に放射状に折り曲げ、それらの端部を前面中央部に配置した金属製のリング８ｃに連結して構成され、ケージ構造になっている。このケージ構造の筒状容器８は、支持板８ｂをボックス１の背面板１ｂに固定し、前面側のリング８ｃを保形ホース３ｈのホース取出口９とするようにしている。
【００１８】
この筒状容器８の中に、保形ホース３ｈが外周側から順次内周側に向けて螺旋層状に巻回されて収納されている。この筒状容器８は、上述した呼径３０、長さ３０ｍの保形ホース３ｈを収納する内部容積を確保するため前後幅が大きく、そのためボックス１の扉１ａを閉じたときの扉１ａと筒状容器８の前面との隙間が小さく、保形ホース３ｈの外径より小さい寸法になっている。
【００１９】
筒状容器８内に収納された保形ホース３ｈは、最外周側端部を筒状容器８の隙間から外側に突出させて給水栓２に連結されており、また最内周側の端部には金具１０を介してフラットホース３ｆが連結され、そのフラットホース３ｆの端部に放水ノズル５が取り付けられている。図示の実施形態では、放水ノズル５は筒状容器８の外側の上部空間にクリップ６に着脱自在にセットされている。
【００２０】
このように放水ノズル５が筒状容器８外側の上部空間に配置されているため、フラットホース３ｆは保形ホース３ｈ側の連結端を筒状容器８の内側に置くと共に、ホース取出口９から筒状容器８の外側の上部空間へ延長するようになっている。放水ノズル５には開閉弁が設けられ、その開閉弁はノブ５ａにより開閉操作できるようになっている。
【００２１】
前述したように、筒状容器８は呼称３０、長さ３０ｍの保形ホース３ｈの収納空間を確保するため前後幅が大きく形成されているため、その前面とボックス１の扉１ａとの隙間が狭い幅になり、保形ホース３ｈが通り抜け出来ない程度になっている。しかし、本発明の消火栓装置では、上述したように扁平なフラットホース３ｆだけを通すようになっているため、扉１ｄの開閉に何ら支障を及ぼすことなく、放水ノズル５を筒状容器８外側の上部空間に配置できるようになっている。
【００２３】
本発明の筒状容器８において、保形ホース３ｈを格納する本体部分は、必ずしも図示のような真円筒状である必要はなく、一部の径だけを拡大して楕円筒状にするようにしてもよい。このような形状にすることによって内部容積を大きくすることができる。ただし、このように本体部分を円筒以外の形状にする場合であっても、ホース取出口９（リング８ｃ）は円滑な保形ホースの引き出しを保障するため円形であることが好ましい。
また、保形ホース３ｈとフラットホース３ｆとの連結部は、図示の実施形態のように金具１０によって連結するものであってもよいが、保形ホース３ｈとフラットホース３ｆとを織構造を変化させるだけで連続的に接続するようにしたものでもよい。
【００２４】
【発明の効果】
上述したように本発明によれば、保形ホースの端部と放水ノズルとの間にフラットホースを介在させたので、放水ノズルを筒状容器の外周外側に配置する場合でも、扁平なフラットホースを筒状容器前面と開閉扉との間の隙間に容易に挿通させることができ、保形ホースを損傷することなく、また扉の開閉に支障を与えることなく放水ノズルを筒状容器の外周外側に配置することができる。
【図面の簡単な説明】
【図１】本発明の実施形態からなる消火栓装置を例示し、（Ａ）は同装置を扉を開いた状態で示す正面図、（Ｂ）は同装置の縦断面図である。
【図２】従来の１号消火栓装置の一例を示し、（Ａ）は同装置を扉を開いた状態を示す正面図、（Ｂ）は同装置の縦断面図である。
【符号の説明】
１  ボックス
１ａ  扉
２  給水栓
３ｈ  保形ホース
３ｆ  フラットホース
５  放水ノズル
８  筒状容器
８ａ  線状材
８ｂ  支持板
８ｃ  リング
９  ホース取出口
１０  金具
【図１】
0003796329.tif 000002
【図２】
0003796329.tif 000003